(57)【要約】【課題】  ユーザの手間を増やすことなく、宅内の装置に保存されている情報をサーバに移行することを目的とする。【解決手段】  ローカルエリア内の装置に保存されている設定情報と電力管理システムで用いる制御装置に固有な識別子とをサーバに送信し、サーバでは設定情報と制御装置の識別子とを関連付けて保存し、上記手順の後、サーバにユーザの識別子を制御装置の識別子に関連付けて登録し、登録されたユーザの識別子に関連付けられた制御装置の識別子と同一の制御装置の識別子に関連付けられた設定情報が保存されている場合には、関連付けられた制御装置の識別子が一致するユーザの識別子と設定情報とを関連付けて保存する。【選択図】  図２
2016086569.tif 000002
【特許請求の範囲】
【請求項１】
電力管理システムにおいてローカルエリア内の装置に保存されている設定情報をサーバに移行するための移行方法であって、
前記設定情報と前記電力管理システムで用いる制御装置に固有な識別子とを前記サーバに送信し、
前記サーバでは前記設定情報と前記制御装置の識別子とを関連付けて保存し、
上記手順の後、前記サーバにユーザの識別子を前記制御装置の識別子に関連付けて登録し、
登録された前記ユーザの識別子に関連付けられた前記制御装置の識別子と同一の制御装置の識別子に関連付けられた設定情報が保存されている場合には、関連付けられた前記制御装置の識別子が一致する前記ユーザの識別子と前記設定情報とを関連付けて保存する移行方法。
【請求項２】
電力管理システムにおいてローカルエリア内の装置に保存されている設定情報をサーバに移行するためのシステムであって、
前記電力管理システムを制御する制御装置と、
サーバとを備え、
前記サーバは、
ローカルエリア内の装置が保存している前記電力管理システムに関する前記設定情報と前記制御装置の識別子とを関連付けて保存し、
保存した後に、ユーザの識別子を前記制御装置の識別子と関連付けて登録を受け付け、
登録された前記ユーザの識別子に関連付けられた前記制御装置の識別子と同一の制御装置の識別子に関連付けられた設定情報が保存されている場合には、関連付けられた前記制御装置の識別子が一致する前記ユーザの識別子と前記設定情報とを関連付けて保存する、システム。
【請求項３】
ローカルエリア内の装置に保存されている設定情報を取得して用いる電力管理システムのサーバであって、
前記サーバは、
前記電力管理システムを制御する制御装置の識別子と、ローカルエリア内の装置が保存している前記電力管理システムの設定情報とを関連付けて保存し、
保存した後に、ユーザの識別子を前記制御装置の識別子と関連付けて登録を受け付け、
登録された前記ユーザの識別子に関連付けられた前記制御装置の識別子と同一の制御装置の識別子に関連付けられた設定情報が保存されている場合には、関連付けられた前記制御装置の識別子が一致する前記ユーザの識別子と前記設定情報とを関連付けて保存する、サーバ。
【発明の詳細な説明】
【技術分野】
【０００１】
本発明は、ローカルネットワーク上で運用されていた電力管理システムを、インターネット上に設けられたサーバを用いて運用する電力管理システムに移行するための方法、システムおよびサーバに関する。
【背景技術】
【０００２】
個別の家電製品の消費電力について使用者が把握できるようにすることによりユーザの節電意識を高める技術として、例えば特許文献１が知られている。
【０００３】
特許文献１には、コンセントから家電機器に供給される消費電力を測定するタップまたは分電盤から家電機器に供給する供給電力を測定するＣＴセンサの測定結果を中継器に送信し、タップは中継器に保存された測定結果を取得して表示するシステムが記載されている。
【先行技術文献】
【特許文献】
【０００４】
【特許文献１】特開２０１４−５５７７９８号公報
【発明の概要】
【発明が解決しようとする課題】
【０００５】
ところで、最近では宅外からでも電力の測定結果を見たいというユーザからの要望がある。そのため、上述では中継器に保存していた測定結果をインターネット上に設けられたサーバに保存するようにし、宅外から見ることを可能とするシステムとするという対応方法があるが、単純に保存先を変更しただけでは、既に宅内の中継器に保存されている情報をインターネット上に設けられたサーバに移行する際にユーザの手間が増加してしまうのが現状である。
【０００６】
本発明は、上記問題に鑑みてなされたものであって、ユーザの手間を増やすことなく、宅内の装置に保存されている情報をサーバに移行することが可能となる移行方法、システムおよびサーバを提供することを目的とする。
【課題を解決するための手段】
【０００７】
上記課題を解決するため、本発明は、電力管理システムにおいてローカルエリア内の装置に保存されている設定情報をサーバに移行するための移行方法であって、設定情報と電力管理システムで用いる制御装置に固有な識別子とをサーバに送信し、サーバでは設定情報と制御装置の識別子とを関連付けて保存し、上記手順の後、サーバにユーザの識別子を制御装置の識別子に関連付けて登録し、登録されたユーザの識別子に関連付けられた制御装置の識別子と同一の制御装置の識別子に関連付けられた設定情報が保存されている場合には、関連付けられた制御装置の識別子が一致するユーザの識別子と設定情報とを関連付けて保存する。
【０００８】
また、本発明のシステムは、電力管理システムにおいてローカルエリア内の装置に保存されている設定情報をサーバに移行するためのシステムであって、電力管理システムを制御する制御装置とサーバとを備え、サーバは、ローカルエリア内の装置が保存している電力管理システムに関する設定情報と制御装置の識別子とを関連付けて保存し、保存した後に、ユーザの識別子を制御装置の識別子と関連付けて登録を受け付け、登録されたユーザの識別子に関連付けられた制御装置の識別子と同一の制御装置の識別子に関連付けられた設定情報が保存されている場合には、関連付けられた制御装置の識別子が一致するユーザの識別子と設定情報とを関連付けて保存する。
【０００９】
また、本発明のサーバは、ローカルエリア内の装置に保存されている設定情報を取得して用いる電力管理システムのサーバであって、サーバは、電力管理システムを制御する制御装置の識別子と、ローカルエリア内の装置が保存している電力管理システムの設定情報とを関連付けて保存し、保存した後に、ユーザの識別子を制御装置の識別子と関連付けて登録を受け付け、登録されたユーザの識別子に関連付けられた制御装置の識別子と同一の制御装置の識別子に関連付けられた設定情報が保存されている場合には、関連付けられた制御装置の識別子が一致するユーザの識別子と設定情報とを関連付けて保存する。
【発明の効果】
【００１０】
本発明によれば、電力管理システムにおいて、ユーザの手間を増やすことなく、宅内の装置に保存されている情報をサーバに移行することが可能となる。
【図面の簡単な説明】
【００１１】
【図１】第１実施形態の宅内管理電力システムの概略構成図である。
【図２】第１実施形態のインターネット上に設けられたサーバを用いた電力管理システムの概略構成を示す図である。
【図３】第１実施形態でＨＥＭＳコントローラに蓄えられた設定情報をインターネット上に設けられたサーバを用いた電力管理システムに移行する手順を示すフローチャートである。
【図４】第１実施形態でタブレットから送信された情報をサーバで処理する手順を示したフローチャートである。
【図５】第１実施形態で新規ユーザ登録時の携帯端末における処理を示すフローチャートである。
【図６】第１実施形態で新規ユーザ登録時のサーバにおける処理を示すフローチャートである。
【図７】第２実施形態の電力管理システムの概略構成を示す図である。
【図８】第２実施形態で複数の装置に保存されていた測定情報をサーバに保存する場合の概念を示す図である。
【発明を実施するための形態】
【００１２】
以下に、本発明の実施形態について図面を参照して説明する。
【００１３】
＜第１実施形態＞
（システム構成）
図１は、第１実施形態の宅内電力管理システムの概略構成を示す図である。
【００１４】
図１に示す電力管理システムは、家電機器１０（１０Ａ、１０Ｂ）と、家電機器１０で消費される電力に関する情報を測定する測定器であるタップ２０と、タップで測定した電力の情報を取得するＨＥＭＳ（Ｈｏｍｅ  Ｅｎｅｒｇｙ  Ｍａｎａｇｅｍｅｎｔ  Ｓｙｓｔｅｍ）コントローラ３０と、ＨＥＭＳコントローラ３０で取得した測定結果の情報を表示するためのタブレット４０とを備えており、１つの建物内（宅内）に構築されるようなローカルエリア内で用いられている。
【００１５】
家電機器１０は一般的な家電機器であり、コンセントから供給される電力により動作するものであり、エアコン１０Ａやテレビ１０Ｂ、冷蔵庫（図示しない）、照明（図示しない）等が該当する。
【００１６】
タップ２０は、コンセントに挿入するためのプラグと家電機器１０のプラグが挿入されるコンセントとを備えており、家電機器のプラグとコンセントの間に設けられることにより家電機器に供給される電力を測定する。測定した電力の情報は定期的にＺＩＧＢＥＥ（登録商標）規格に準拠した通信を用いてＨＥＭＳコントローラ３０に送信する。この送信間隔として、例えば５秒毎に送信するようにしてもよい。またタップ２０で積算電力量を算出し、例えば１５分毎に積算電力量をＨＥＭＳコントローラ３０に送信するようにしてもよい。なおタップ２０は、他のタップと識別するために用いる固有な番号であるタップ識別子がそれぞれ割り当てられている。この番号はタップ２０の外観から見えるように記載されていてもよく、また後述するタブレット４０や携帯端末８０を用いて閲覧できるようにしてもよい。
【００１７】
ＨＥＭＳコントローラ３０は、演算部を備えており、複数のタップ２０から送信された電力の情報や積算電力量の情報を受信し、受信した情報を記憶部であるメモリに記憶する制御装置である。また、ＨＥＭＳコントローラ３０は上記のタップ２０との通信インタフェースに加え、ルータ５０との通信インタフェースである有線ＬＡＮを備える。後述するタブレット４０から電力情報の要求を受け付けると、記憶した電力の情報を要求に応じてルータ５０を経由させて、タブレット４０に送信する。このＨＥＭＳコントローラ３０は、他のＨＥＭＳコントローラ３０と識別するための固有な識別番号を有する。本実施形態ではこの識別子として例えばＭＡＣアドレス（Ｍｅｄｉａ  Ａｃｃｅｓｓ  Ｃｏｎｔｒｏｌ  ａｄｄｒｅｓｓ）を用いており、ＨＥＭＳコントローラ３０の外観にもこのＭＡＣアドレスを表記している。一例として、本実施形態で説明するＨＥＭＳコントローラ３０はＭＡＣアドレスとして、００：１２：０Ｅ：ＥＦ：２４：ＡＦを有している。なお、ＨＭＥＳコントローラ３０と背景技術として説明した中継器は、タップ２０からの電力の情報を取得する仕様等で共通する点が多いが、後述するサーバとの連携機能を有している点では中継器とは異なる。
【００１８】
ルータ５０は一般的なルータであり、インターネット６０に接続する機能を有する。しかしながら、図１のシステムでは測定した家電機器１０の電力の情報はルータ５０により管理されるローカルエリア内で管理されており、インターネット６０側には送信していない。またルータ５０は、ＩＥＥＥ８０２．１１規格の無線ＬＡＮ（Ｌｏｃａｌ  Ａｒｅａ  Ｎｅｔｗｏｒｋ）を備えている。また、ＨＥＭＳコントローラ３０とはＥｔｈｅｒｎｅｔ（登録商標）を用いて有線接続されている。
【００１９】
タブレット４０は、演算部と記憶部と表示部と操作入力部を備えた情報端末であって、無線ＬＡＮインタフェースを備えておりルータ５０と無線通信を行う。例えばユーザがエアコン１０Ａの消費電力を確認しようと操作すると、対応するタップ２０Ａの電力に関する情報をＨＥＭＳコントローラに要求し、取得した電力に関する情報をエアコン１０Ａの電力量の情報として表示部に表示する。なお、家電機器１０とタップ２０のとの対応関係は、機器名称とタップ識別子とを用いて行われ、この対応関係の情報はタブレット４０の記憶部に保持している。
【００２０】
このように図１に記載した電力管理システムは、測定対象である機器の測定情報をローカルエリア内で保持する構成となっている。
【００２１】
図２は、第１実施形態のクラウドサーバを用いた電力管理システムの概略構成を示す図である。
【００２２】
図２に示す電力管理システムは、図１に示す宅内電力管理システムにインターネット６０を介して接続されるサーバ７０を設けたものである。
【００２３】
宅内電力管理システムではタップ２０を用いて測定し、ＨＥＭＳコントローラ３０に保存していた測定情報を、ＨＥＭＳコントローラ３０ではなく、サーバ７０に保存するようにしたシステムである。このように、サーバ７０に測定情報を保存することにより、複数の基地局６１や複数のＭＭＥ（Ｍｏｂｉｌｉｔｙ  Ｍａｎａｇｅｍｅｎｔ    Ｅｎｔｉｔｙ）６２を備える３Ｇ（Ｇｅｎｅｒａｔｉｏｎ）やＬＴＥ（Ｌｏｎｇ  Ｔｅｒｍ  Ｅｖｏｌｕｔｉｏｎ）等の回線網を介してユーザは宅内に限らず外出先等であってもスマートフォンなどの携帯端末８０を用いて測定情報を閲覧することが出来る。携帯端末８０で閲覧するためのアプリケーションは、携帯端末の一般的なＷｅｂブラウザでサーバ７０にアクセスすることにより動作するように提供されるものであってもよく、専用のものであってもよい。
【００２４】
なお、図１と同一の符号については説明を省略する。また、タブレット４０は宅内電力管理システムで保持していた情報をサーバに移行する際には用いるが、サーバ７０に必要な情報を移行した後には用いなくてもかまわない。
【００２５】
（サーバへの設定情報の登録）
宅内電力管理システムで用いていた情報であって、インターネット上のサーバを用いた電力管理システムに移行することによりユーザの利便性が向上すると考えられる情報の１つとして、家電機器１０とタップ２０の対応関係等を記憶した設定情報がある。電力管理システムでは、情報の保存先が変更されたとしても、家電機器１０とタップ２０の接続関係をユーザが変更する可能性は低いと考えられるため、今までの接続関係の情報をそのまま引き継ぐことが多いと考えられるためである。また、今までの宅内電力管理システムで用いていた接続関係を維持することにより、宅内電力管理システムからインターネット上のサーバを用いた管理システムに移行したとしても、ユーザは移行後の測定情報と移行前の測定情報とを連続した１つの測定情報として閲覧することが出来る。
【００２６】
以下に、宅内電力管理システムからインターネット上に設けられたサーバを用いた電力管理システムに移行するに手順について説明する。
【００２７】
まず、ユーザはタブレット４０で用いている宅内電力管理システムで用いるアプリケーションをインターネット上に設けられたサーバを用いた電力管理システムに移行させるために、タブレット４０を用いてインターネットからこの機能を有するバージョンのアプリケーションをダウンロードしてインストールする。新たにインストールしたアプリケーションには以後で説明する設定情報をサーバ７０に移行させる機能や、サーバ７０のアドレス情報が含まれる。なお上記では、ソフトウエアのインストールだけでなく、ソフトウエアのバージョンアップを含めてインストールと表現している。
【００２８】
図３は、図１に示した宅内電力管理システムにおいてＨＥＭＳコントローラ３０に記憶されていた情報を図２に示したインターネット上に設けられたサーバを用いた電力管理システムに移行する場合のフローチャートである。
【００２９】
以下図３を参照し、手順の詳細について説明を行う。
【００３０】
インストールの後、ユーザはタブレットを操作し、現在のタブレット４０が保持している家電機器１０の機器名称、タップ２０の固有番号、家電機器１０とタップ２０の接続履歴情報等の設定情報をサーバに移行する指示を行う（Ｓ１）。
【００３１】
ユーザからの指示を受けると、タブレット４０の演算部は記憶部に保存された設定情報を呼び出し（Ｓ３）、同じく記憶部に保存されたＨＥＭＳコントローラ３０のＭＡＣアドレスの情報を呼び出し（Ｓ４）、設定情報とＭＡＣアドレスに紐づけた情報を作成し（Ｓ５）、これをインターネット上に設けられたサーバを用いた電力管理システムで用いるサーバ７０に送信する（Ｓ６）。本実施形態では、タブレット４０からルータ５０を介してサーバ７０に送信される。
【００３２】
設定情報を作成することが出来るタブレットと同様の機能を有するサーバとが併存しないようにしたい場合には、サーバ７０に必要な情報の送信完了が確認出来た後、タブレット４０を本実施形態の電力管理システムで使用出来ないようにする。
【００３３】
図４は、上記手順でタブレットから送信された情報をサーバ７０で処理する手順を示したフローチャートである。
【００３４】
図４を用いてサーバで上記情報を受信した際の動作について説明する。サーバ７０は受信した情報が、ＭＡＣアドレスと設定情報を含む情報か否かを判断し、ＭＡＣアドレスと設定情報を含む情報であれば、ＭＡＣアドレスと設定情報とを関連付けて記憶する。
【００３５】
（サーバへのユーザ登録）
続いて、本実施形態のユーザが携帯端末８０を用いてインターネット上のサーバを用いた電力管理システムにアクセスし、測定情報を閲覧すること等を行うため、ユーザ登録を行う手順について説明を行う。
【００３６】
図５は、新規ユーザ登録時の携帯端末８０における処理を示すフローチャートである。この処理は携帯端末８０で用いられる一般的なＷｅｂブラウザを用いてサーバ７０にアクセスすることにより実行してもよく、専用のソフトウエアで行ってもよい。
【００３７】
図５を用いて携帯端末８０での処理について説明を行う。ユーザは本実施形態のクラウドサーバを用いた電力管理システムを利用する際に用いるユーザＩＤとパスワードを付与されている。ユーザはこのユーザＩＤとパスワードを用いてサーバにログインする（Ｓ２１）次いでＨＥＭＳコントローラ３０の外観に記されたＭＡＣアドレスの下４桁の数値である２４ＡＦを入力し、これをサーバに送信する（Ｓ２２）（Ｓ２３）。次いでユーザはＨＥＭＳコントローラに設けられたボタンを押す等の操作によりＨＥＭＳコントローラ３０からＨＥＭＳコントローラのＭＡＣアドレスの情報をサーバ７０に送信する。この操作の終了後にサーバ７０から携帯端末８０に対してＨＥＭＳコントローラ３０のＭＡＣアドレスの全桁の数値情報である００１２０ＥＥＦ２４ＡＦが送信されてくるのでこれを受信する（Ｓ２４）。次いで、このＭＡＣアドレスを表示部に表示するとともに、このＭＡＣアドレスとＨＥＭＳコントローラ３０の外観に表示されているＭＡＣアドレスとが一致するか否かについてユーザの確認を求める表示を行う（Ｓ２５）。ユーザにより確認され、両者が一致する場合、一致する旨をサーバに送信し（Ｓ２６）、ユーザＩＤとＨＥＭＳコントローラの紐づけがサーバ７０において完了したとして、携帯端末８０での処理を終了させる。
【００３８】
図６は、新規ユーザ登録時のサーバ７０における処理を示すフローチャートである。サーバはユーザＩＤとパスワードが合致したユーザのログインを受け付け（Ｓ３１）、携帯端末からＨＥＭＳコントローラのＭＡＣアドレスの下４桁の数値２４ＡＦの入力を受け付ける（Ｓ３２）。次いでこの２４ＡＦという数値で同様に登録処理が行われていないかをチェックする（Ｓ３３）。これは、複数のユーザが任意のタイミングでアクセスを行う可能性があるサーバでは、同じＭＡＣアドレスの下４桁で登録処理を試みるユーザが存在する可能性が否定できないからである。このため、一定期間に同一の下４桁のＭＡＣアドレスで登録処理が出来るユーザを１ユーザに限定する。重複がない場合、このユーザの登録処理を進めることとし、ユーザがＨＥＭＳコントローラ３０を直接操作することにより、ＨＥＭＳコントローラ３０から送信されてきたＭＡＣアドレスを受信する（Ｓ３４）。サーバであるため、複数のＭＡＣアドレスを受信する可能性があるが、受信したＭＡＣアドレスのうち下４桁の数値が先に入力を受け付けた２４ＡＦであるＭＡＣアドレス００１２０ＥＥＦ２４ＡＦをユーザの携帯端末８０に送信する。この後、ユーザの携帯端末８０に送信したＭＡＣアドレスがＨＥＭＳコントローラ３０の外観に表示されたＭＡＣアドレスと合致する旨の回答信号を受信すると、このＭＡＣアドレスとユーザＩＤとを紐づけて記憶する。
【００３９】
（ユーザＩＤと設定情報の紐付け）
サーバ７０は、新たなユーザが登録されると、そのユーザＩＤに対応するＭＡＣアドレスに対応した設定情報が既にサーバ内に記憶されていないかを検索する。既にＭＡＣアドレスに対応した設定情報が図４で説明した手順によりサーバに保存されていた場合には、この設定情報とユーザＩＤとをＭＡＣアドレスを介することにより関連付けて記憶する。
【００４０】
このようにして、家電機器１０の名称や、家電機器１０とタップ２０との接続関係の履歴等の設定情報などを複雑な処理をすることなく、サーバ７０を用いた電力管理システムに引き継ぐことが出来る。この結果、ローカルエリア内でユーザが用いていた設定情報を他のユーザの情報も管理するサーバに移行した後であっても、サーバにユーザＩＤを登録する作業を行うだけで、ユーザは設定情報を再度設定し直すことなく、引き継ぐことが出来、家電機器１０の測定情報を閲覧することが可能となる。
【００４１】
さらに、この時にユーザＩＤと設定情報を紐づける際に用いるものはユーザの有するＨＥＭＳコントローラのＭＡＣアドレスであり、ユーザがＨＥＭＳコントローラを操作する手順も含むため、ユーザＩＤの登録前であっても特別なパスワード等を発行することなくセキュリティーを確保して情報を移行することが出来る。
【００４２】
加えて、サーバ７０を用いたシステムの運用中にサーバ７０と同様に設定情報を作成する機能を有するタブレット４０の様な装置が存在する場合、ユーザの意図しない操作によって設定情報が変更されてしまうリスクが考えられる。このような事態を防止する目的でタブレット４０の使用をサーバ７０での管理を開始する前に停止したい場合には、本実施形態はユーザＩＤのサーバ登録前にこれが実現出来るため有益である。
【００４３】
（測定情報の移行）
ユーザＩＤと設定情報との紐付けが終了すると、ＨＥＭＳコントローラ３０に保存されている測定情報をサーバ７０に移行するようにする。宅内電力管理システムで用いていた設定情報が既にサーバ７０で保持されているため、測定情報がサーバ７０に移行されるとユーザは移行以前に測定した測定情報と移行後に新たに測定した測定情報との設定情報が一致することとなり、移行前後の２つの測定情報を連続した１まとまりの測定情報として扱うことが出来る。そのため、ユーザはシステムの移行を意識することなく電力管理システムを使用できるという効果も生じる。
【００４４】
なお、タップ２０に換えて分電盤（図示しない）や分電盤からコンセントまでの経路中に設けたＣＴ（Ｃｕｒｒｅｎｔ  Ｔｒａｎｓｆｏｒｍｅｒ）センサを用いてよい。
【００４５】
また、設定情報としては、家電機器１０の機器名称、タップ２０の固有番号、家電機器１０とタップ２０の接続履歴情報等に加え、ＣＴセンサの識別番号、家電機器１０とＣＴセンサとの接続履歴情報、主幹電力の測定装置を示す情報、電気料金の設定値等、電力管理システムを管理する情報であれば様々な情報を含むことが出来る。
【００４６】
＜第２実施形態＞
本実施形態では、設定情報を、宅内電力管理システムからインターネット上のサーバを用いた電力管理システムのサーバ７０へ登録した後に行う測定情報の移行について説明を行う。
【００４７】
図７は、複数の電力測定装置を備えた電力管理システムを示す構成図である。
【００４８】
図７では、図２のシステムに加え、太陽電池９０や太陽電池で発電した電力を交流電力に変更する機能を有するパワーコンディショナ９１や電力表示モニタ９２を備えた太陽光発電システムを備える。また、図２では図示しなかった分電盤１００や系統から供給される主幹の電力等をＣＴセンサを用いて測定するＣＴセンサ測定装置２１をさらに備える。
【００４９】
電力表示モニタ９２は、演算部と記憶部と表示部を備え、太陽電池パネル９０で生成される発電電力量やパワーコンディショナで変換される電力量や主幹を介して系統から供給される電力量や主幹を介して逆潮流される電力量の情報をパワーコンディショナ９１から取得して保存する機能と表示する機能を有する。
【００５０】
ＣＴセンサ測定装置２１は、接続されたＣＴセンサからの測定情報をＺIＧＢＥＥ規格に準拠した通信を用いてＨＥＭＳコントローラ３０に送信する。
【００５１】
宅内電力管理システムにおいて測定情報の保存先をＨＥＭＳコントローラ３０からインターネット上のサーバを用いたシステムにおけるサーバ７０に変更しただけでは、変更時点以降の測定情報しかサーバ７０に保存されないこととなる。ユーザが変更前の測定情報も携帯端末８０を用いて容易に閲覧するための対応として、変更時点以前の測定情報も宅内管理システムでの保存先から取得し、サーバ７０に記憶させておくという手法が考えられる。
【００５２】
実施形態１のようにＨＥＭＳコントローラ３０に記憶されていた設定情報をサーバ７０に引き継ぐことが出来たため、サーバ上の家電機器１０とＨＥＭＳコントローラ３０に保存されていた家電機器１０との対応関係はサーバ７０でも保持されることとなる。したがって、ＨＥＭＳコントローラ３０に記憶されていた移行以前の測定情報も設定情報を用いてサーバ７０に保存することが出来るため、ユーザは移行以前に測定した測定情報と移行後に新たに測定した測定情報とを１まとまりの測定情報として扱うことが出来る。
【００５３】
ところで、ＨＥＭＳは近年導入が進んだシステムである。一方、太陽光発電システムはＨＥＭＳよりも以前から普及したシステムであり、ＨＥＭＳの導入前から太陽光発電装置を備えていた家は数多く存在する。このような家では、電力モニタ９２がＨＥＭＳシステムの導入以前の主幹電力量の測定情報を保持している場合がある。  
【００５４】
図８は、複数の装置に保存されていた測定情報をサーバに保存する場合の概念を示す図である。ここで横軸は時間を示し、（ａ）（ｂ）（ｃ）で一致するものとする。
【００５５】
以下に図７と図８を用いて説明する。
【００５６】
まず、主幹の電力量の測定装置として、宅内の電力管理システムのＣＴセンサ測定装置２１を用いるとユーザが選択した場合、ユーザが事前に設定することにより、タブレット４０の設定情報には主幹の電力量の測定装置としてＣＴセンサ測定装置２１が設定される。
【００５７】
このため、設定情報がタブレット４０からサーバ７０に移行されて保存された後、主幹の電力量の測定データとしてＣＴセンサ測定装置２１からＨＥＭＳコントローラ３０に送信されて記憶された測定情報が移行されてサーバ７０に保存される（図８（ａ））。
【００５８】
電力管理システムの使用以前から太陽光発発電装置を保有していた場合には、太陽光発電装置の電力モニタ９２には主幹の測定情報が記憶されているため、ユーザはこの情報も利用することが出来る。その場合、ユーザは携帯端末８０を用いて電力モニタ９２の測定情報も利用することをサーバ７０に送信する。本実施形態の電力管理システムでは、ＨＥＭＳコントローラ３０と電力モニタ９２との間で有線通信が可能な構成（図示しない）となっており、上記信号によりサーバ７０から電力モニタ９２に記憶されている測定情報の取得の要求がＨＥＭＳコントローラ３０に対して行われ、ＨＥＭＳコントローラ３０が電力モニタ９２から測定情報を取得し、サーバ７０に測定情報を送信する。サーバ７０はこの測定情報を取得して保存する（図８（ｂ））。
【００５９】
主幹の電力のように１つの測定対象を同時期に複数の測定装置を用いて測定していた場合、サーバに送信される測定情報は、同一の測定対象に対して複数となる場合がある。この場合には、先にタブレット４０から送信された設定情報において設定されている測定装置の測定情報を優先してサーバ７０に保存する（図８（Ｃ））。なお、このように測定情報が重複する場合には、ユーザに優先する測定装置を確認し、ユーザの選択に従うようにしてもよい。
【００６０】
このように保存することにより、ユーザはサーバにアクセスするだけで長期間の主幹の電力の測定情報を簡易に確認することができ、消費の動向を知ることが出来る。
【００６１】
なお、ユーザによってはあまり古いデータまでは必要がない場合もあるため、サーバに移行する測定情報の期間を指定できるようにしてもよい。
【００６２】
＜第３実施形態＞
本実施形態は、基本的な構成は第２の実施形態と同一である。サーバ７０は１つの対象に対して同一期間の測定情報が２つ以上確認された場合、測定情報のサンプリング間隔を確認する。そしてサンプリング間隔が密である測定情報を対象の測定情報として記憶する。
【００６３】
このように、測定間隔が密である測定情報を優先して選択する構成であるため、ユーザにより優先して記憶する測定情報の選択を受けなくても、測定間隔の密な測定情報を記憶しておくことが出来る。
【００６４】
また、サンプリング間隔が密である方を優先する代わりに、長期間に渡る測定情報を優先してもよい。
【００６５】
このようにすると、同一機器で測定した測定情報の期間が長くなり、測定器の個体差に依存する測定誤差が小さい情報であるとみなすことが出来る。
【００６６】
さらに、上記に代えて、スマートメータのような電力料金の算出に用いられる電力計（図示しない）での計測データがＨＥＭＳコントローラ３０で取得出来る場合には、スマートメータによる信頼度の高い測定情報を用いてもよい。
【００６７】
このようにすると、より信頼度の高い測定情報が得られる。
【００６８】
なお、これらの処理はサーバ７０で行うとしているが、別の装置で判断してもよく、ユーザに関係する情報を提示して選択させる構成としてもよいことは言うまでもない。
【００６９】
＜第４実施形態＞
本実施形態は、基本的な構成は第２の実施形態と同一である。本実施形態では、既に測定装置で測定されて保存されていた測定情報のサンプリング間隔が、新たにサーバに記憶されるサンプリング間隔よりも長い場合である。例えば、既に測定装置で測定されて保存されていた測定情報のサンプリング間隔が１時間間隔であり、一方、サーバ７０を含めて運用される電力管理システムのサンプリング間隔が１５分間隔を想定する。この場合、サーバ７０のサンプリング間隔に合うように、１時間間隔のデータを４等分し、１５分間隔のデータとして過去の測定情報としてサーバに記憶させる。
【００７０】
このようにすると、過去のサンプリング間隔が異なる測定データであっても、ユーザに情報を表示する際に違和感を与えることを防止出来る。
【００７１】
なお、第２から第４実施形態では、測定情報の対象として主幹の電力、主幹の電力情報を保持している太陽光発電システムの電力モニタ９２、ＨＥＭＳコントローラ３０を一例として説明したが、電力管理システムと情報のやり取りが出来る装置であればどのような装置でもよいことは言うまでもない。このような装置として上述の太陽光発電システムに加え、蓄電池システム、Ｖ２Ｈ（Ｖｅｈｉｃｌｅ  ｔｏ  Ｈｏｍe）、エコウィル（登録商標）を一例とする家庭用ガス発電のような外部発電システム、等が考えられる。また、このようにして扱われる電力の情報は、主幹の電力を測定した測定情報に限らず、分岐した分岐配線の電力を測定した測定情報であっても、タップ２０を用いた測定情報であってもよい。
【００７２】
また、実施形態１から実施形態４において電力管理システムは電力や電力量を測定対象として説明しているが、電力に関する情報に限らず、流量計を用いて測定するガスや水道の使用量の情報も含めたエネルギーの測定情報に対して適用してもよい。
【００７３】
なお、実施形態１から実施形態４において、宅内電力管理システムとインターネット上のサーバを用いた電力管理システムとを用いて説明を行った。しかし、その目的は共通し、構成も類似である上、これらは継続して用いられるものであることから、これは一つの電力管理システムであり、その電力管理システムの制御や情報を管理する装置が、ローカルネットワーク内のＨＥＭＳコントローラ３０とタブレット４０である場合から、ＨＥＭＳコントローラ３０とサーバ７０である場合に変更したものとみなしてもよい。また、これらの装置において保存される情報の同期を取るようにして保存される情報の齟齬が生じないようにすれば、複数の装置を用いて情報を管理するように構成してもよい。
【００７４】
今回開示された実施形態は例示であって、上記内容のみに制限されるものではなく、適宜組み合わせてもよく、変更してもよい。
【符号の説明】
【００７５】
１０Ａ  家電機器（エアコン）
１０Ｂ  家電機器（テレビ）
２０  タップ
２１  ＣＴセンサ測定装置
３０  ＨＥＭＳコントローラ
４０  タブレット
５０  ルータ
６０  インターネット
６１  基地局
６２  ＭＭＥ
７０  サーバ
８０  携帯端末
９０  太陽電池
９１  パワーコンディショナ
９２  電力モニタ
１００  分電盤
【図１】
2016086569.tif 000003
【図２】
2016086569.tif 000004
【図３】
2016086569.tif 000005
【図４】
2016086569.tif 000006
【図５】
2016086569.tif 000007
【図６】
2016086569.tif 000008
【図７】
2016086569.tif 000009
【図８】
2016086569.tif 000010